(57)【要約】      （修正有）【課題】複数列に渡って配列される各ＬＥＤが、長手方向の左右側方を広角広範囲に照明できる蛍光灯型ＬＥＤ照明灯を提供する。【解決手段】透明または半透明な円筒管１と、該円筒管１の両端に接続され、それぞれ蛍光灯器具のソケット部に嵌合する一対の電極端子２が長手方向に水平に突設されて成る有底円筒状のベースキャップ３と、円筒管１に内蔵される支持基板４と、該支持基板４の長手方向に沿い複数列に渡って配設される多数個のＬＥＤチップ５ａからなるＬＥＤ群５と、該ＬＥＤ群５と電極端子２間に配設される電気回路とから成る蛍光灯型ＬＥＤ照明灯において、支持基板４の長手方向に沿う両外側列において、それぞれ外側に向けて所要勾配の取着面を有するスペーサ７が多数配設され、各スペーサ７の取着面にＬＥＤチップ５ａがその光軸を外側に向けて配設されるとともに、各ＬＥＤチップ５ａが前記電気回路に接続される。【選択図】図１
0003158083.tif 000002
【実用新案登録請求の範囲】
【請求項１】
透明または半透明な円筒管と、該円筒管の両端に接続され、それぞれ蛍光灯器具のソケット部に嵌合する一対の電極端子が長手方向に水平に突設されて成る有底円筒状のベースキャップと、前記円筒管に内蔵される支持基板と、該支持基板の長手方向に沿い複数列に渡って配設される多数個のＬＥＤからなるＬＥＤ群と、該ＬＥＤ群と前記電極端子間に配設される電気回路とから成る蛍光灯型ＬＥＤ照明灯において、
前記支持基板の長手方向に沿う両外側列において、それぞれ外側に向けて所要勾配の取着面を有するスペーサが多数配設され、各スペーサの取着面に前記ＬＥＤがその光軸を外側に向けて配設されるとともに、各ＬＥＤが前記電気回路に接続されて成る。
【請求項２】
前記両外側列に配設される各スペーサが、相互に千鳥状に配設されて成る請求項１記載の蛍光灯型ＬＥＤ照明灯。
【考案の詳細な説明】
【技術分野】
【０００１】  本考案は、既設の蛍光灯器具にそのまま使用され、広角広範囲に渡って照明できるＬＥＤ（発光ダイオード）を用いた蛍光灯型の照明灯に関する。
【背景技術】
【０００２】  従来から光通信システム用発光モジュールの発光素子取付け構造として、円形の基板に外周方向へ傾斜する傾斜面を有するスペーサに発光素子を取り付けたものが、実開昭６３−１０６２４６号公報（特許文献１）に開示されているが、蛍光灯型の照明灯において、多数のＬＥＤを電気的に配列する基板に前記スペーサを設けた照明技術は未提案である。また、前記特許文献１からは発光素子の光軸を相反する方向へ向けて照明する技術思想には想到できないものである。
【先行技術文献】
【特許文献】
【０００３】
【特許文献１】実開昭６３−１０６２４６号公報
【考案の概要】
【考案が解決しようとする課題】
【０００４】  そこで本考案は、蛍光灯型ＬＥＤ照明灯において、支持基板の長手方向に複数列に渡って配列される各ＬＥＤが、該長手方向の左右側方を広角広範囲に照明できる蛍光灯型ＬＥＤ照明灯を提供するものである。
【課題を解決するための手段】
【０００５】  本考案の請求項１に記載した蛍光灯型ＬＥＤ照明灯は、透明または半透明な円筒管と、該円筒管の両端に接続され、それぞれ蛍光灯器具のソケット部に嵌合する一対の電極端子が長手方向に水平に突設されて成る有底円筒状のベースキャップと、前記円筒管に内蔵される支持基板と、該支持基板の長手方向に沿い複数列に渡って配設される多数個のＬＥＤからなるＬＥＤ群と、該ＬＥＤ群と前記電極端子間に配設される電気回路とから成る蛍光灯型ＬＥＤ照明灯において、
前記支持基板の長手方向に沿う両外側列において、それぞれ外側に向けて所要勾配の取着面を有するスペーサが多数配設され、各スペーサの取着面に前記ＬＥＤがその光軸を外側に向けて配設されるとともに、各ＬＥＤが前記電気回路に接続されて成る。
また、請求項２に記載した考案は、請求項１に記載した蛍光灯型ＬＥＤ照明灯において、
前記両外側列に配設される各スペーサが、相互に千鳥状に配設されて成る。
【考案の効果】
【０００６】  以上のように本考案の蛍光灯型ＬＥＤ照明灯によれば、１灯式の蛍光灯器具の使用でも広角広範囲に照明できるので、照明空間の低い茸栽培の照明には極めて有用である。また、両側でのＬＥＤ群の配列において、各ＬＥＤの配設を相互に千鳥状にしたものは、省エネ的照明効果を呈することになる。さらに、本考案では同位相に配設されるＬＥＤと、相互に千鳥状に配設されるＬＥＤとを混在させることもできるから、どちらか一方のＬＥＤ群による照明や両者による照明など、ＬＥＤの照明回路の切り替えで簡単にその照度を変更できる効果をも呈するものである。
【図面の簡単な説明】
【０００７】
【図１】本考案の蛍光灯型ＬＥＤ照明灯Ａの天地を逆にして、一部を省略破断した状態の正面図。
【図２】図１の中央部の縦断面図。
【図３】本考案の蛍光灯型ＬＥＤ照明灯Ａの電気回路６の説明図。
【図４】本考案の蛍光灯型ＬＥＤ照明灯Ａの照明姿勢におけるスペーサ７の他の態様を示す中央部の縦断面図。
【図５】支持基板４に２列に配列されるＬＥＤ群５の各ＬＥＤチップ５ａが、相互に千鳥状に配設される状態を示す説明図。
【図６】支持基板４に３列に配列されるＬＥＤ群５の各ＬＥＤチップ５ａが、一連のＶ字状に配列され、中央列の各ＬＥＤチップ５ａが交互に左右を照明する配列の説明図。
【図７】支持基板４に２列に配列されるＬＥＤ群５の各ＬＥＤチップ５ａが、同位相でそれぞれ外側方向を照明する配列の説明図。
【考案を実施するための形態】
【０００８】  本考案におけるスペーサの配列形態は、支持基板における複数列のＬＥＤ群に対応して配列されるものであるから、左右同位相で配列されるものから、左右相互に千鳥状に配列されるものなどである。このほか、中間部での配列はＬＥＤの光軸を垂直にしたものや、該光軸を左右交互に向きを変えて配列するもの、前記の両者を混在させて配列するものなどである。
【実施例】
【０００９】  本考案を実施例により説明すると、本考案の蛍光灯型ＬＥＤ照明灯Ａは、図１に示すように、透明または半透明な円筒管１と、該円筒管１の両端に接合され、それぞれ蛍光灯器具のソケット部（図外）に嵌合する一対の電極端子２が長手方向に水平に突設されて成る有底円筒状のベースキャップ３と、前記円筒管１に内蔵される支持基板４と、該支持基板４の長手方向に沿って複数列に渡って配設される多数個のＬＥＤとしてのＬＥＤチップ５ａからなるＬＥＤ群５と、該ＬＥＤ群５と前記電極端子２とを電気的に接続する電気回路６とから成り、前記各ＬＥＤチップ５ａは図２に示すように、前記支持基板４の長手方向に沿う両外側列（左右列）において、支持基板４の水平面に対して所要勾配（１５°）の取着面７ａを有して接合されるスペーサ７の該取着面７ａに取り付けられ、該スペーサ７を貫通するＬＥＤチップ５ａのアノード端子とカソード端子が支持基板４の裏面に接合されたプリント基板の電気回路６に接続されて成る。
前記した多数のＬＥＤチップ５ａからなるＬＥＤ群５は、支持基板４の長手方向に沿って２列に配列され、それぞれのＬＥＤ群５は、図３に示すように一方のベースキャップ３において、該ベースキャップ３に接合された口金３ａの一対の電極端子２とダイオードブリッジ６ａを介して他方のベースキャップ３の口金３ａに配設された一対の電極端子２とが電気的に接続される。ここで、各ＬＥＤチップ５ａを接合するスペーサ７に関して説明すると、このものは、支持基板４に取り付けられた状態で、ＬＥＤチップ５ａの光軸が照明使用時で表現すると、垂直方向に対して所要角度（１５°）で外側方向に向けられるような取着面７ａを有すればよいから、図２に示したスペーサ７は、正面視直角三角形の鋭角頂部を切断して、直角二辺の長辺をＬＥＤチップ５ａの取着面７ａとしたものであり、これに代えて図４に示すように、直角三角形の鋭角頂部を切断して、その斜辺をＬＥＤチップ５ａの取着面７ａとするものなどでも提供される。【００１０】  次に、各ＬＥＤ群５の配列の形態について説明すると、図５に示したものは支持基板４の両側方の各ＬＥＤ群５に配設される各ＬＥＤチップ５ａが、その配設位相を相互に千鳥状に配設されて、それぞれ矢印に示すように所要角度で側方へ向けた光軸で照明するものであり、図６に示したものは、支持基板４に三列に配列された各ＬＥＤ群５の両側方の各ＬＥＤ群５に配設される各ＬＥＤチップ５ａが相互に千鳥状に配設されるとともに、中央部に配列されるＬＥＤ群５の各ＬＥＤチップ５ａも、前記両側方の各ＬＥＤチップ５ａの配設ピッチの中間部に位置取りされるように、すなわち、三者が一連のＶ字状となるように、その光軸の向きを左右方向へ所要角度で交互に振り分けて配設したものである。
また、図７に示したものは、二列に配列した各ＬＥＤ群５の各ＬＥＤチップ５ａが左右同位相でそれぞれ矢印に示すように、スペーサ（図外）を介して所要角度で側方へ向けた光軸で照明するものである。【００１１】  このようにして成る蛍光灯型ＬＥＤ照明灯Ａは、広角広範囲に渡って照明できるから、棚間隔の低い茸栽培における照明には好適なものである。
【産業上の利用可能性】
【００１２】  本考案は、照明空間の低い棚毎の照明では広角広範囲に渡って照明できるから、茸栽培業者にとっては好適なものとして、その需要は大いに期待されるものである上、照明器具業界の活性化にも資するものである。
【符号の説明】
【００１３】  １：円筒管
２：電極端子
３：ベースキャップ
３ａ：口金
４：支持基板
５：ＬＥＤ群
５ａ：ＬＥＤチップ
６：電気回路
６ａ：ダイオードブリッジ
７：スペーサ
７ａ：取着面
Ａ：蛍光灯型ＬＥＤ照明灯
【図１】
0003158083.tif 000003
【図２】
0003158083.tif 000004
【図３】
0003158083.tif 000005
【図４】
0003158083.tif 000006
【図５】
0003158083.tif 000007
【図６】
0003158083.tif 000008
【図７】
0003158083.tif 000009
【手続補正書】
【提出日】平成21年12月16日(2009.12.16)
【手続補正１】
【補正対象書類名】実用新案登録請求の範囲
【補正対象項目名】請求項１
【補正方法】変更
【補正の内容】
【請求項１】
透明または半透明な円筒管と、該円筒管の両端に接続され、それぞれ蛍光灯器具のソケット部に嵌合する一対の電極端子が長手方向に水平に突設されて成る有底円筒状のベースキャップと、前記円筒管に内蔵される支持基板と、該支持基板の長手方向に沿い複数列に渡って配設される多数個のＬＥＤからなるＬＥＤ群と、該ＬＥＤ群と前記電極端子間に配設される電気回路とから成る蛍光灯型ＬＥＤ照明灯において、
前記支持基板の長手方向に沿う両外側列において、それぞれ外側に向けて所要勾配の取着面を有するスペーサが多数配設され、各スペーサの取着面に前記ＬＥＤがその光軸を外側に向けて配設されるとともに、各ＬＥＤが前記電気回路に接続されて成る蛍光灯型ＬＥＤ照明灯。